【事件の表示】
　特許第３２０７１７７号「整流子モータ」の請求項１ないし６に係る特許に対する特許異議の申立てについて、次のとおり決定する。
【結　論】
　訂正を認める。
　特許第３２０７１７７号の請求項１、２に係る特許を取り消す。
【理　由】
第１．手続の経緯
　特許第３２０７１７７号の発明についての出願は、平成１１年３月４日の特許出願であって、平成１３年７月６日にその発明について特許の設定登録がなされ、その後、異議申立人鈴木良子、吉田亜紀、古川篤子、仲佐智雄により特許異議の申立てがなされ、当審において取消理由通知がなされ、その指定期間内である平成１４年１１月２６日に訂正請求がなされたものである。
　
第２．訂正の適否
１．訂正の内容
（１）訂正事項１
　特許請求の範囲の請求項１の記載について、
「シャフトと、
このシャフトが貫通する貫通孔を有するハウジングと、
前記シャフトに固定されたアマチュアと、
前記シャフトの端部に固定された整流子と、
前記ハウジングと一体のベース、ベースに固定された導体、前記整流子に当接する複数のブラシ及び各ブラシに一端部が接続され他端部が導体に接続された長さ同一の複数のピグテールを含むブラシ装置と、
先端部が前記導体に電気的に接続され導体を介して各前記ブラシに電流を供給するリード線と、
を備え、各前記ピグテールの前記他端部と接続された前記導体の各接続部、及び各前記ブラシが、前記シャフトの回転中心を通り径方向に延びた中心線の線対称位置に配置された整流子モータ。」とあるのを、
「シャフトと、
このシャフトが貫通する貫通孔を有するハウジングと、
前記シャフトに固定されたアマチュアと、
前記シャフトの端部に固定された整流子と、
前記ハウジングと一体のベース、ベースにインサートモールド成形された導体、前記整流子に当接する４個のブラシ及び各ブラシにべースの軸線方向に突出するよう一端部が接続され他端部が導体に接続された長さ同一の複数のピグテールを含むブラシ装置と、
先端部が前記導体に電気的に接続され導体を介して各前記ブラシに電流を供給するリード線と、
を備え、各前記ピグテールの前記他端部と接続された前記導体の各接続部、及び各前記ブラシが、前記シャフトの回転中心を通り径方向に延びた中心線の線対称位置に配置された電動パワーステアリング装置用の整流子モータ。」と訂正する。
　
（２）訂正事項２
　特許請求の範囲の請求項２の記載について、請求項３を請求項２に繰り上げるとともに、請求項１のみを引用するものとし、「整流子のセグメント数は偶数個である請求項１に記載の整流子モータ。」と訂正する。
　
（３）訂正事項３
　特許請求の範囲の請求項２，４ないし６を削除する。
　
（４）訂正事項４
　明細書の段落【０００１】の「整流子モータ」を、「電動パワーステアリング装置用の整流子モータ」と訂正する。
　
（５）訂正事項５
　明細書の段落【０００８】の記載について、
「【課題を解決するための手段】
　この発明の請求項１に係る整流子モータは、各ピグテールの他端部と接続された導体の各接続部、及びブラシが、シャフトの回転中心を通り径方向に延びた中心線の線対称位置に配置されている。」とあるのを、
「【課題を解決するための手段】
　この発明の請求項１に係る電動パワーステアリング装置用の整流子モータは、４個の、各ピグテールの他端部と接続された導体の各接続部、及びブラシが、シャフトの回転中心を通り径方向に延びた中心線の線対称位置に配置されている。また、導体は合成樹脂製のべースに埋設され、導体とべ−スとはインサートモールド成形により一体成形されており、ピグテールの一端部はベースの軸線方向に延びている。」と訂正する。
　
（６）訂正事項６
　明細書の段落【０００９】、【００１１】、【００１２】、【００１３】を削除する。
　
（７）訂正事項７
　明細書の段落【００１０】の記載について、「また、請求項３に係る整流子モータでは、整流子のセグメント数は偶数個である。」とあるのを、「また、請求項２に係る整流子モータでは、整流子のセグメント数は偶数個である。」と訂正する。
　
（８）訂正事項８
　明細書の段落【００１９】の記載について、「請求項２に係る整流子モータでは、」とあるのを、削除する。
　
（９）訂正事項９
　明細書の段落【００２０】の記載について、「また、請求項３に係る整流子モータでは、整流子のセグメント数は偶数個であるので、各ブラシがセグメントに当接する箇所での当接状態は同一であり、各ブラシ間のブラシ音のばらつきを小さくすることができるとともに、ブラシ音を低減することができる。」とあるのを、削除する。
　
（１０）訂正事項１０
　明細書の段落【００２１】の記載について、「請求項４に係る整流子モータでは、」とあるのを、削除する。
　
（１１）訂正事項１１
　明細書の段落【００２２】の記載について、「請求項５に係る整流子モータでは、」とあるのを、削除する。
　
（１２）訂正事項１２
　明細書の段落【００２３】の記載について、「請求項６に係る整流子モータでは、」とあるのを、削除する。
　
（１３）訂正事項１３
　明細書に段落【００２４】を追加し、その記載を、
「また、請求項２に係る整流子モータでは、整流子のセグメント数は偶数個であるので、各ブラシがセグメントに当接する箇所での当接状態は同一であり、各ブラシ間のブラシ音のばらつきを小さくすることができるとともに、ブラシ音を低減することができる。」とする。
　
２．訂正の目的の適否、新規事項の有無、及び特許請求の範囲の拡張・変更の存否
（１）訂正事項１について
　訂正事項１は、請求項１に請求項２，４，５及び６の構成要件を追加して訂正後の請求項１とするものであるから、特許請求の範囲の減縮を目的とした明細書の訂正に該当し、新規事項の追加に該当せず、実質的に特許請求の範囲を拡張又は変更するものではない。
　
（２）訂正事項２について
　訂正事項２は、訂正後の請求項２が請求項３を繰り上げるとともに、訂正事項１のとおり減縮した請求項１のみを引用するものとするのであるから、特許請求の範囲の減縮を目的とした明細書の訂正に該当し、新規事項の追加に該当せず、実質的に特許請求の範囲を拡張又は変更するものではない。
　
（３）訂正事項３について
　訂正事項３は、請求項を削除するものであるから、特許請求の範囲の減縮を目的とした明細書の訂正に該当し、新規事項の追加に該当せず、実質的に特許請求の範囲を拡張又は変更するものではない。
　
（４）訂正事項４ないし１３について
　訂正事項４ないし１３は、上記訂正事項１ないし３による訂正に伴って、発明の詳細な説明の記載を特許請求の範囲の記載と整合させるためのものであり、明りょうでない記載の釈明に該当し、新規事項の追加に該当せず、実質的に特許請求の範囲を拡張又は変更するものではない。
　
３．むすび
　以上のとおりであるから、上記訂正は、特許法第１２０条の４第２項及び同条第３項において準用する特許法第１２６条第２項及び第３項の規定に適合するので、当該訂正を認める。
　
第３．特許異議の申立てについて
１．申立の理由の概要
（１）申立人鈴木良子は、下記の甲第１ないし４号証により、請求項１ないし６に係る発明の特許は、特許法第２９条第１項第３号又は同法第２９条第２項の規定に違反してなされたものであるから取り消すべき旨主張している。
甲第１号証：実願平５−３１７４６号（実開平６−２９３７９号）のＣＤ−ＲＯＭ（ａ）
甲第２号証：特許第３２０７１７７号公報（ｂ）
甲第３号証：実願昭６１−１４０７２号（実開昭６２−１２９２８２号）のマイクロフィルム（ｃ）
甲第４号証：特表平１０−５１０４１９号公報（ｄ）
　
（２）申立人吉田亜紀は、下記の甲第１ないし５号証により、請求項１ないし６に係る発明の特許は、特許法第２９条第１項第３号又は同法第２９条第２項の規定に違反してなされたものであるから取り消すべき旨主張している。
甲第１号証：特開平５−２８８１４３号公報（ｅ）
甲第２号証：特開平８−２０５４８４号公報（ｆ）
甲第３号証：“マグネット・モータ”，日本電装公開技報，平成８年３月１５日，整理番号１０７−０４５（ｇ）
甲第４号証：特開平７−１９４０４８号公報（ｈ）
甲第５号証：特開平４−２３５号公報（ｉ）
　
（３）申立人古川篤子は、下記の甲第１ないし５号証により、請求項１ないし６に係る発明の特許は、特許法第２９条第１項第３号又は同法第２９条第２項の規定に違反してなされたものであるから取り消すべき旨主張している。
甲第１号証：特開平７−１９４０４８号公報（ｈ）
甲第２号証：国際公開第９７／０１８７８号パンフレット（ｊ）
甲第２号証の２：特表平１１−５０８７５６号公報（ｋ）
甲第３号証：“マグネット・モータ”，日本電装公開技報，平成８年３月１５日，整理番号１０７−０４５（ｇ）
甲第４号証：特開平７−４６７８８号公報（ｌ）
甲第３号証：実願昭５９−１７４１５４号（実開昭６１−８８８７２号）のマイクロフィルム（ｍ）
　
（４）申立人仲佐智雄は、下記の甲第１，２，６及び７号証を示し、請求項１ないし６に係る発明は、特許法第１７条の２第３項に違反してなされたものであるから取り消すべき旨、及び、下記の甲第３ないし５号証及び参考資料１，２により、請求項１ないし６に係る発明の特許は、特許法第２９条第２項の規定に違反してなされたものであるから取り消すべき旨主張している。
甲第１号証：特開昭５８−１７５９４７号公報（ｎ）
甲第２号証：特開平２−３０３３４６号公報（ｏ）
甲第３号証：特開平７−３２２５５１号公報（ｐ）
甲第４号証：特開平５−１６１３１６号公報（ｑ）
甲第５号証：特開平８−２６６０１９号公報（ｒ）
甲第６号証：本件特許の願書に最初に添付した明細書及び図面（ｓ）
甲第７号証：本件特許の平成１３年３月１９日付け手続補正書（ｔ）
参考資料１：“マグネット・モータ”，日本電装公開技報，平成８年３月１５日，整理番号１０７−０４５（ｇ）
参考資料２：特開平８−２８２５２３号公報（ｕ）
　
２．本件発明
　上記「第２．訂正の適否」で示したように上記訂正が認められるから、本件特許の請求項１，２に係る発明（以下、それぞれ、「本件発明１，２」という。）は、上記訂正に係る訂正明細書の特許請求の範囲の請求項１，２に記載された事項により特定されるとおりのものである（上記、「第２．１．訂正の内容」参照。）。
　
３．本件発明１の特許について
（１）引用刊行物に記載された発明
　当審において通知した取消理由に引用した刊行物５［特開平８−２０５４８４号公報（上記、「第３．１．（２）」の甲第２号証（ｆ））］には、次の事項が記載されている。
ａ．「本発明に係るブラシホルダ装置は、車載用モータに使用されるものとして構成されており、樹脂成形されたブラシホルダステーの内部にターミナル部材がインサート成形されている形式のブラシホルダ装置１０として構成されている。このブラシホルダ装置１０は樹脂が使用されて略円盤形状に形成されたブラシホルダステー（以下、ステーという。）１１を備えている。ステー１１の外形はモータハウジング（図示せず）の内形形状に対応されて成形されており、ステー１１の中央部にはコミテータ挿通孔１２が円形に大きく開設されている。」（段落【００１０】）
ｂ．「ステー１１の一端面（以下、上面とする。）には互いに対になるプラス側ブラシホルダ１３とマイナス側ブラシホルダ１４とが２組、対になるプラス側ブラシホルダ１３とマイナス側ブラシホルダ１４同士がコミテータ挿通孔１２の中心線を挟んで相対向するようにそれぞれ配されて軸方向に一体的に突設されている。両プラス側ブラシホルダ１３、１３および両マイナス側ブラシホルダ１４、１４は同一形状に形成されて、コミテータ挿通孔１２の中心線を基準に対称形状にそれぞれ配置されている」（段落【００１１】）
ｃ．「そして、ステー１１の内部およびカプラ部３１の内部には対になったプラス側ブラシホルダ１３とマイナス側ブラシホルダ１４に対応して互いに対になるプラス側ターミナル部材３３とマイナス側ターミナル部材３４とが２組、コミテータ挿通孔１２の中心線を挟んで対称形になるようにそれぞれ配されてインサート成形されている。」（段落【００２０】）
ｄ．「２枚のプラス側ターミナル部材３３、３３は対称形状に形成されてコミテータ挿通孔１２の中心線を基準に対称にそれぞれ配置されている。すなわち、プラス側ターミナル部材３３は銅材料（銅またはその合金）が用いられてプレス加工により略円弧形の板形状に形成された本体３５を備えている。この本体３５は内径がコミテータ挿通孔１２の内径よりも大きく、外径がステー１１の外径よりも小さく形成されて、ステー１１のリング形状部の内部に同心円に埋設されている。本体３５の一端部にはピグテール接続端子３６が直角に屈曲されて一体的に形成されており、このピグテール接続端子３６は三角柱形状の端子保持用凸部２６に内部から上面の外部に突出されている。」（段落【００２１】）
ｅ．「他方の２枚のマイナス側ターミナル部材３４、３４は銅材料（銅またはその合金）が用いられてプレス加工により略矩形形状に形成された本体３９を備えている。この本体３９の一端部にはピグテール接続端子４０が直角に屈曲されて一体的に形成されており、このピグテール接続端子４０はカプラ部３１の近傍に配置された四角柱形状の端子保持用凸部２５に内部から上面の外部に突出されている。」（段落【００２２】）
ｆ．「各ブラシホルダのブラシ収容部１６に各ブラシ４４がそれぞれ収容されるとともに、各ブラシ４４に接続されたピグテール４５が各ブラシホルダ本体１５に開設されたピグテール引出し用切欠部１９を挿通されて、各ピグテール保持用凸部２３と絶縁壁２８との間を配線される。続いて、各ピグテール４５の先端部は各ピグテール接続端子３６、４０にそれぞれ溶着されて接続される。・・・（中略）・・・ブラシホルダ装置１０がモータハウジング（図示せず）に装着されるとともに、その後、ステー１１のコミテータ挿通孔１２内にモータの回転子のコミテータ（図示せず）が挿通されると、各ブラシ４４がコミテータにトーションスプリング４６の弾発力によってそれぞれ押接される。」（段落【００３６】）
ｇ．「以上のようにして組み立てられたモータが自動車等に搭載された後に、ブラシホルダ装置１０のカプラ部３１に相手方の雌カプラ（図示せず）が装着されて、電源からカプラ部３１の各プラグ端子３８、４１に電力が供給されると、本実施例においては、コミテータに各ターミナル部材３３、３４を介して２系統のプラス側ブラシホルダ１３、１３およびマイナス側ブラシホルダ１４、１４によって電力が供給される。」（段落【００３７】）
　これらの記載事項と図面に示された事項から、刊行物５には次の発明が記載されているものと認められる。
「モータハウジングと、回転子のコミテータと、モータハウジングに装着されるステー、ステーにインサートモールド成形されたターミナル部材、コミテータに当接する４個のブラシ及び各ブラシにステーの周方向に突出するよう一端部が接続され他端部がターミナル部材に接続された複数のピグテールを含むブラシホルダ装置と、を備え、ブラシホルダ装置のカプラ部に相手側の雌カプラが装着されて電源からカプラ部のターミナル部材のプラグ端子に電力が供給され、かつ、各ピグテールの他端部と接続されたターミナル部材の各ピグテール接続端子、及び各ブラシが、コミテータ挿入孔の中心線を基準に対称形状にそれぞれ配置された車載用モータ。」（以下、「引用発明１」という。）
　
（２）対比・判断
ア．本件発明１と引用発明１とを比較する。
　引用発明１の「モータハウジング」、「回転子」、「コミテータ」、「ステー」、「ターミナル部材」、「ブラシホルダ装置」、「ピグテール接続端子」及び「モータ」は、本件発明１の「ハウジング」、「アマチュア」、「整流子」、「ベース」、「導体」、「ブラシ装置」、「接続部」及び「整流子モータ」に相当する。
　引用発明１には、本件発明１が備える「シャフト」が記載されていないが、「シャフト」はモータが当然備えている基本構成であり、引用発明１のモータも「シャフト」を備えているものと認められる。
　また、整流子モータのハウジングにシャフトが貫通する貫通孔を設けることは周知の事項であり、さらに、アマチュアをシャフトに固定すること、及び整流子をシャフトの端部に固定することも技術常識である。
　同じく引用発明１の「ブラシホルダ装置のカプラ部に相手側の雌カプラが装着されて電源からカプラ部のターミナル部材のプラグ端子に電力が供給され」るという構成は、本件発明１の「先端部が導体に電気的に接続され導体を介して各ブラシに電流を供給するリード線」の構成に相当するものと認められる。
　そして、引用発明１の導体の各接続部及び各ブラシを「コミテータ挿入孔の中心線を基準に対称形状にそれぞれ配置」するという構成は、通常コミテータ挿入孔の中心はシャフトの回転中心と一致させているものであるから、本件発明１の導体の各接続部及び各ブラシを「シャフトの回転中心を通り径方向に延びた中心線の線対称位置に配置」するという構成に相当するものと認められる。
　したがって、両者は、
「シャフトと、
このシャフトが貫通する貫通孔を有するハウジングと、
前記シャフトに固定されたアマチュアと、
前記シャフトの端部に固定された整流子と、
前記ハウジングと一体のベース、ベースにインサートモールド成形された導体、前記整流子に当接する４個のブラシ及び各ブラシに一端部が接続され他端部が導体に接続された複数のピグテールを含むブラシ装置と、
先端部が前記導体に電気的に接続され導体を介して各前記ブラシに電流を供給するリード線と、
を備え、各前記ピグテールの前記他端部と接続された前記導体の各接続部、及び各前記ブラシが、前記シャフトの回転中心を通り径方向に延びた中心線の線対称位置に配置された整流子モータ。」
であることで一致し、次の３つの点で相違する。
相違点１：
　本件発明１は、複数のピグテールの一端部が各ブラシに「べースの軸線方向に突出するよう」に接続されるのに対し、引用発明１は「べースの周方向に突出するよう」に接続される点。
相違点２：
　本件発明１は、複数のピグテールが「長さ同一」であるとしているのに対し、引用発明１はこのような構成を備えていないこと。
相違点３：
　本件発明１は、「電動パワーステアリング装置用」の整流子モータであるのに対し、引用発明１は「車載用」の整流子モータである点。
　
イ．上記相違点１について検討する。
　ピグテールの一端部をブラシにべースの軸線方向に突出するように接続する技術は、当審において通知した取消理由に引用した、刊行物７［特開平７−１９４０４８号公報（上記、「第３．１．（２）」の甲第４号証（ｈ））］及び刊行物１０［特開平７−４６７８８号公報（上記、「第３．１．（３）」の甲第４号証（ｌ））］にも記載されているように周知の技術であり、引用発明１に上記周知技術を適用し、上記相違点１に係る本件発明の構成とすることは、当業者が容易に想到し得ることと認められる。
　
ウ．上記相違点２について検討する。
　引用発明１において、各ピグテールが接続する各ブラシ及び各接続部は、シャフトの中心線に対し対称位置に配置されており、各ピグテールが接続を行う距離も同一である。このような場合、部品増によるコストアップ及び誤組付防止を図るために、特段の理由が無い限り、各ピグテールの長さを同一とするのが技術常識である。そして、引用発明１には複数のピグテールの長さを特に異ならせる旨の記載も無いことから、図面の記載も勘案して、引用発明１の複数のピグテールは長さを同一としたものであると認定するのが妥当である。
　したがって、上記相違点２に係る構成は、実質的に引用発明１に記載されているものと認められる。
　
エ．上記相違点３について検討する。
　自動車の電動パワーステアリング装置用に整流子モータを用いることは、当審において通知した取消理由に引用した、刊行物８［特開平４−２３５号公報（上記、「第３．１．（２）」の甲第５号証（ｉ））］にも記載されているように周知の技術であり、引用発明１の整流子モータを電動パワーステアリング装置に用いることに、何ら困難性は認められない。
　なお、特許権者は特許異議意見書において、本件発明１は電動パワーステアリング装置用の整流子モータであり、このモータはロストルク低減のため、スプリングの荷重を小さく設定し、ブラシの整流子のセグメントに対する押圧力を極力小さくしてあるために、ピグテールの弛み形状の違いによって、ブラシ間でブラシ音が異なり、シャフトの正逆回転でもブラシ音が異なるという特有の課題を有している旨の主張をしている。
　しかしながら、ロストルクを低減させるという課題は、特に電動パワーステアリング装置用の整流子モータのみに限られた課題ではなく、正逆回転させる整流子モータも、電動パワーステアリング装置用の整流子モータに限られるものでもない。
　そして、本件発明１が奏する、各ブラシ間並びに正逆回転でのブラシ音のばらつき及びブラシ音の低減することができるという効果は、引用発明１のような、導体の各接続部及び各ブラシをシャフトの回転中心に対し対称位置に配置した整流子モータであれば、自ずと発揮する効果に過ぎないものと認められる。
　したがって、引用発明１に上記周知技術を適用し、上記相違点３に係る本件発明の構成とすることは、当業者が容易になし得ることと認められる。
　
オ．以上のことから、本件発明１は、刊行物５に記載される発明及び周知技術に基づいて当業者が容易に発明をすることができたもので、本件発明１に係る特許は、特許法第２９条第２項の規定に違反してなされたものである。
　
４．本件発明２の特許について
　本件発明２は、本件発明１に「整流子のセグメント数は偶数個である」という構成を付加したものである。
　しかしながら、上記構成は実願昭６１−１４０７２号（実開昭６２−１２９２８２号）のマイクロフィルム（上記、「第３．１．（１）」の甲第３号証（ｃ））にも示されるように、整流子モータにおいては周知の技術に過ぎない。
　したがって、本件発明２は、本件発明１と同様、刊行物５に記載される発明及び周知技術に基づいて当業者が容易に発明をすることができたもので、本件発明２に係る特許は、特許法第２９条第２項の規定に違反してなされたものである。
　
５．むすび
　以上のとおりであるから、本件発明１，２についての特許は特許法第１１３条第２号に該当し、取り消されるべきものである。
　よって、結論のとおり決定する。
【異議決定日】
平成１５年３月４日（２００３．３．４）
【訂正の要旨】
訂正の要旨
　審決（決定）の【理由】欄参照。
（５４）【発明の名称】
整流子モータ
（５７）【特許請求の範囲】
　【請求項１】　シャフトと、
このシャフトが貫通する貫通孔を有するハウジングと、
前記シャフトに固定されたアマチュアと、
前記シャフトの端部に固定された整流子と、
前記ハウジングと一体のベース、ベースに
インサートモールド成形
４個
ベースの軸線方向に突出するよう
先端部が前記導体に電気的に接続され導体を介して各前記ブラシに電流を供給するリード線と、
を備え、各前記ピグテールの前記他端部と接続された前記導体の各接続部、及び各前記ブラシが、前記シャフトの回転中心を通り径方向に延びた中心線の線対称位置に配置された
電動パワーステアリング装置用の
　【請求項
２
１に
【発明の詳細な説明】
　【０００１】
　【発明の属する技術分野】
　この発明は、ブラシに一端部が接続されたピグテールを有するブラシ装置を備えた
電動パワーステアリング装置用の
　【０００２】
　【従来の技術】
　図２は従来の整流子モータであるパワーステアリング装置用モータに組込まれるブラシ装置の正面図、図３は図２のＩＩＩ−ＩＩＩ線に沿う側断面図である。整流子モータは、円筒状のヨークと、このヨーク内に固定された界磁永久磁石と、ヨーク内に軸受により回転自在に設けられたシャフトと、このシャフトに固定されたアマチュアと、シャフトの端部に固定された整流子と、シャフトが貫通する貫通孔１を有するハウジング２に締付ねじ３で固定されたブラシ装置４と、ハウジング２の切欠部５に弾性的に係止されたグロメット６と、このグロメット６を貫通したリード線７とを備えている。ブラシ装置４は、インサートモールドで導体９が埋設されたベース１０と、このベース１０に固定された金属製の２個のブラシホルダ１１と、このブラシホルダ１１内に保持されスプリング１２の弾性力により整流子に当接するブラシ１３ａ，１３ｂと、各ブラシ１３ａ，１３ｂに一端部が接続され他端部が導体９の接続部１５ａ，１５ｂで溶接により導体９に接続されたピグテール１４ａ，１４ｂとを備えている。このピグテール１４ａ，１４ｂは軟銅撚線、軟銅網線等で構成されている。
　【０００３】
　上記ブラシ装置４は、次の手順で組み立てられる。先ず、金型内に導体９を載置し、合成樹脂を注入してインサートモールド成形により導体９とベース１０とを一体化する。その後、ブラシホルダ１１をベース１０に係止し、ピグテール１４ａ、１４ｂの端部を接続部１５ａ、１５ｂに溶接する。次に、スプリング１２をブラシホルダ１１内に入れ、ブラシ１３ａ、１３ｂをブラシホルダ１１内に組み込む。
　【０００４】
　上記整流子モータでは、整流子に当接するブラシ１３ａ，１３ｂを介して外部から電流をアマチュアに供給することにより、アマチュアは電磁作用により、シャフトとともに回転する。
　【０００５】
　【発明が解決しようとする課題】
　上記構成の整流子モータでは、図２に示すように、導体９の接続部１５ａ，１５ｂは、シャフトの回転中心を通る径方向に延びた中心線Ａの線対称位置にない。これは、リード線７とブラシ１３ａ，１３ｂとを接続する導体９の電流回路の面積の取り合いの関係上、スペースに余裕がなく、そのように構成されている。また、ピグテール１４ａ，１４ｂは、長さを変えると部品点数が増加するので、同一長さである。そのために、ブラシ１３ａ，１３ｂと接続部１５ａ，１５ｂとの間の距離が異なる結果、ピグテール１４ａ，１４ｂの弛み形状がそれぞれ異なる。その結果、例えば、特にロストルク低減のため、スプリング１２の荷重を小さく設定し、ブラシ１３ａ，１３ｂの整流子のセグメントに対する押圧力を極力小さくしてある電動パワーステアリング装置用モータでは、ピグテール１４ａ，１４ｂの弛み形状の違いにより、ブラシ１３ａ，１３ｂの整流子のセグエメントに対する当接状態が異なり、ブラシ１３ａ，１３ｂ間でブラシ音が異なり、またシャフトの正逆回転でもブラシ音が異なり、不安定になるという問題点があった。
　【０００６】
　また、図４のブラシ装置２０は、ブラシ２１ａ，２１ｂ，２１ｃ，２１ｄが全部で４個、各ブラシ２１ａ，２１ｂ，２１ｃ，２１ｄに接続されたピグテール２２ａ，２２ｂ，２２ｃ，２２ｄの一端部がベース１０の周方向に延びている（所謂横出し）点が所謂縦出しである図２のブラシ装置４と異なる。この場合にも、導体９の接続部２３ａ，２３ｂ，２３ｃ，２３ｄは、シャフトの回転中心を通る径方向に延びた中心線Ａ，Ｂの線対称位置にないために、図２のブラシ装置２０と同様の問題点があった。特に、この場合には、ピグテール２２ａ，２２ｂ，２２ｃ，２２ｄの一端部が所謂横出しであるために、接続部２３ａ，２３ｂ，２３ｃ，２３ｄとブラシ２１ａ，２１ｂ，２１ｃ，２１ｄとの間の距離が短く、各ピグテール２２ａ，２２ｂ，２２ｃ，２２ｄの弛み形状のばらつきが図２に示した所謂縦出しの場合より、大きくなり、上記問題点の影響をより受けることになる。また、ピグテール２２ａ，２２ｂ，２２ｃ，２２ｄによるブラシ２１ａ，２１ｂ，２１ｃ，２１ｄに対する押圧力は、整流子の周方向であるので、整流子の時計方向及び反時計方向でブラシ２１ａ，２１ｂ，２１ｃ，２１ｄの整流子に対する当接状態が変化して不安定になるため、上記問題点の影響をより受けることになる。
　【０００７】
　この発明は、上記のような問題点を解決することを課題とするものであって、ブラシ間でのブラシ音のばらつき及びブラシ音を低減できる整流子モータを得ることを目的とする。
　【０００８】
　【課題を解決するための手段】
　この発明の請求項１に係る
電動パワーステアリング装置用の
４個の、
また、導体は合成樹脂製のベースに埋設され、導体とベースとはインサートモールド成形により一体成形されており、ピグテールの一端部はベースの軸線方向に延びている。
　【０００９】
　【００１０】
　また、請求項
２
　【００１１】
　【００１２】
　【００１３】
　【００１４】
　【発明の実施の形態】
　実施の形態１．
　図１はこの発明の整流子モータである電動パワーステアリング装置用モータに組み込まれるブラシ装置３０の正面図である。なお、図２ないし図４と同一または相当の部材は同一符号を付して説明する。整流子モータは、円筒状のヨークと、このヨーク内に固定された界磁永久磁石と、ヨーク内に軸受により回転自在に設けられたシャフトと、このシャフトに固定されたアマチュアと、シャフトの端部に固定された整流子と、シャフトが貫通する貫通孔１を有するハウジング２に締付ねじ３で固定されたブラシ装置３０と、ハウジング２の切欠部５に弾性的に係止されたグロメット６と、このグロメット６を貫通したリード線７とを備えている。
　【００１５】
　ブラシ装置３０は、インサートモールドで導体３６が埋設されたベース３５と、このベース３５に固定された金属製の４個のブラシホルダ３１と、このブラシホルダ３１内に保持されスプリング１２の弾性力により整流子に当接するブラシ３２ａ，３２ｂ，３２ｃ，３２ｄと、各ブラシ３２ａ，３２ｂ，３２ｃ，３２ｄに一端部が接続され他端部が導体３６の接続部３４ａ，３４ｂ，３４ｃ，３４ｄに接続されているとともにそれぞれが同一長さの複数のピグテール３３ａ，３３ｂ，３３ｃ，３３ｄとを備えている。ブラシ３２ａ，３２ｂ，３２ｃ，３２ｄ及び接続部３４ａ，３４ｂ，３４ｃ，３４ｄは、シャフトの回転中心を通る径方向に延びた中心線Ａ，Ｂの線対称位置にある。なお、このように、配置するために、リード線７とブラシ３２ａ，３２ｂ，３２ｃ，３２ｄとを接続する導体３６の電流回路の面積の取り合いの関係上、従来のものと比較して、ベース３５及び導体３６の形状は大きくなっている。
　【００１６】
　上記構成のブラシ装置３０では、ブラシ３２ａ，３２ｂ，３２ｃ，３２ｄ及び接続部３４ａ，３４ｂ，３４ｃ，３４ｄは、シャフトの回転中心を通る径方向に延びた中心線Ａ，Ｂの線対称位置にあるので、それぞれが同一長さである、各ピグテール３３ａ，３３ｂ，３３ｃ，３３ｄの弛み形状が同一にできるため、各ブラシ３２ａ，３２ｂ，３２ｃ，３２ｄ間の整流子に対する押圧力のばらつきを低減化でき、ブラシ音のばらつきを低減化することができる。また、時計方向及び反時計方向に回転する電動パワーステアリング装置用モータのように、スプリング１２の荷重の小さいモータでは、特に各ブラシ３２ａ，３２ｂ，３２ｃ，３２ｄ間の整流子に対する押圧力のばらつきによるブラシ音のばらつき、並びに両回転方向間のブラシ音のばらつきの低減化が顕著である。
　【００１７】
　また、整流子のセグメント数が偶数にすることにより、４個のブラシ３２ａ，３２ｂ，３２ｃ，３２ｄがそれぞれセグメントに当接する箇所での当接状態は同じであり、各ブラシ３２ａ，３２ｂ，３２ｃ，３２ｄ間のブラシ音のばらつきがより低減される。また、導体３６は合成樹脂製のベース３５に埋設され、導体３６とベース３５とはインサートモールド成形により一体成形されているので、構造が簡単であるとともに、導体３６と周辺部品との間の絶縁性が確保される。さらに、ピグテール３３ａ，３３ｂ，３３ｃ，３３ｄの一端部はベース３５の軸線方向に突出しているので、図４に示したようにピグテール２２ａ，２２ｂ，２２ｃ，２２ｄの一端部が所謂横出しである場合と比較して、整流子の時計方向及び反時計方向でブラシ３２ａ，３２ｂ，３２ｃ，３２ｄの整流子に対する当接状態の変化が小さくなる。
　【００１８】
　【発明の効果】
　以上説明したように、この発明の請求項１に係る整流子モータでは、長さが同一の各ピグテールの他端部と接続された導体の各接続部、及び各ブラシが、シャフトの回転中心を通る径方向に延びた中心線の線対称位置にそれぞれ配置されているので、各ブラシ間での整流子に対する当接状態のばらつきを小さくすることができ、各ブラシ間のブラシ音のばらつきを小さくすることができるとともに、ブラシ音を低減することができる。
　【００１９】
　また
、中
　【００２０】
　【００２１】
　また
、導
　【００２２】
　また
、ピ
　【００２３】
　また
、整
　【
００２４
　また、請求項
２
【図面の簡単な説明】
　【図１】　この発明の実施の形態１の整流子モータに組み込まれるブラシ装置の正面図である。
　【図２】　従来の整流子モータに組み込まれるブラシ装置の正面図である。
　【図３】　図２のＩＩＩ−ＩＩＩ線に沿う側断面図である。
　【図４】　従来の整流子モータに組み込まれるブラシ装置の他の例を示す正面図である。
　【符号の説明】
　２　ハウジング、７　リード線、３０　ブラシ装置、３１　ブラシホルダ、３２ａ，３２ｂ，３２ｃ，３２ｄ　ブラシ、３３ａ，３３ｂ，３３ｃ，３３ｄ　ピグテール、３４ａ，３４ｂ，３４ｃ，３４ｄ　接続部、３５　ベース、３６　導体。